(57)【要約】  少ない記憶容量でも状況に応じた適切な情報を利用者に報知することができるエレベーターの監視装置を提供する。エレベーターの監視装置は、複数のコード情報の各々と複数のメッセージ情報の各々とを対応付けて記憶した記憶部と、１組のコード情報を受信した際に、前記記憶部から当該１組のコード情報の各々に対応した１組のメッセージ情報の各々を抽出し、当該１組のメッセージ情報をまとめて音声および表示の少なくとも一方により報知装置に報知させる制御部と、を備えた。
2019244236.tif 000002
【特許請求の範囲】
【請求項１】
複数のコード情報の各々と複数のメッセージ情報の各々とを対応付けて記憶した記憶部と、
１組のコード情報を受信した際に、前記記憶部から当該１組のコード情報の各々に対応した１組のメッセージ情報の各々を抽出し、当該１組のメッセージ情報をまとめて音声および表示の少なくとも一方により報知装置に報知させる制御部と、
を備えたエレベーターの監視装置。
【請求項２】
前記記憶部は、前記複数のメッセージ情報として、戸開ボタンを示す情報と押すことを示す情報とを記憶し、
前記制御部は、前記戸開ボタンを示す情報に対応したコード情報と前記押すことを示す情報に対応したコード情報とを受信した際に、前記戸開ボタンを押すことを促す情報を前記報知装置に報知させる請求項１に記載のエレベーターの監視装置。
【請求項３】
前記記憶部は、前記複数のメッセージ情報として、複数の階床の各々のボタンを示す情報と押すことを示す情報とを記憶し、
前記制御部は、前記複数の階床のボタンの各々を示す情報に対応したコード情報と前記押すことを示す情報に対応したコード情報とを受信した際に、当該階床のボタンを押すことを促す情報を前記報知装置に報知させる請求項１に記載のエレベーターの監視装置。
【請求項４】
前記記憶部は、前記複数のメッセージ情報として、複数の時間の各々を示す情報と保守員が到着することを示す情報とを記憶し、
前記制御部は、前記複数の時間の各々を示す情報に対応したコード情報と前記保守員が到着することを示す情報に対応したコード情報とを受信した際に、当該時間の経過後に保守員が到着することを示す情報を前記報知装置に報知させる請求項１に記載のエレベーターの監視装置。
【発明の詳細な説明】
【技術分野】
【０００１】
この発明は、エレベーターのかごの内部に情報を報知させる機能を備えた監視装置に関する。
【背景技術】
【０００２】
特許文献１は、エレベーターの監視装置を開示する。当該監視装置によれば、状況に応じた情報を利用者に報知し得る。
【先行技術文献】
【特許文献】
【０００３】
【特許文献１】日本特開昭６３−２８８８８２号公報
【発明の概要】
【発明が解決しようとする課題】
【０００４】
しかしながら、特許文献１に記載の監視装置においては、状況に応じた情報を予め記憶しておく必要がある。このため、監視装置において、多くの記憶容量が必要となる。【０００５】
この発明は、上述の課題を解決するためになされた。この発明の目的は、少ない記憶容量でも状況に応じた適切な情報を利用者に報知することができるエレベーターの監視装置を提供することである。
【課題を解決するための手段】
【０００６】
この発明に係るエレベーターの監視装置は、複数のコード情報の各々と複数のメッセージ情報の各々とを対応付けて記憶した記憶部と、１組のコード情報を受信した際に、前記記憶部から当該１組のコード情報の各々に対応した１組のメッセージ情報の各々を抽出し、当該１組のメッセージ情報をまとめて音声および表示の少なくとも一方により報知装置に報知させる制御部と、を備えた。
【発明の効果】
【０００７】
この発明によれば、監視装置は、１組のコード情報の各々に対応付いた１組のメッセージ情報をまとめて報知装置に報知させる。このため、少ない記憶容量でも状況に応じた適切な情報を利用者に報知することができる。
【図面の簡単な説明】
【０００８】
【図１】実施の形態１におけるエレベーターの監視装置が適用されるエレベーターシステムの構成図である。
【図２】実施の形態１におけるエレベーターの監視装置に記憶された複数のコード情報と複数のメッセージ情報とを示す図である。
【図３】実施の形態１におけるエレベーターの監視装置が適用されるエレベーターシステムの動作の概要を説明するためのフローチャートである。
【図４】実施の形態１におけるエレベーターの監視装置が適用されるエレベーターシステムの動作の概要を説明するためのフローチャートである。
【図５】実施の形態１におけるエレベーターの監視装置のハードウェア構成図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略する。
【００１０】
実施の形態１．
図１は実施の形態１におけるエレベーターの監視装置が適用されるエレベーターシステムの構成図である。
【００１１】
図１のエレベーターシステムは、機械室のないエレベーターシステムである。当該エレベーターシステムにおいて、昇降路１は、建築物の各階を貫く。図示されない複数の乗場の各々は、建築物の各階に設けられる。複数の乗場の各々は、昇降路１に対向する。
【００１２】
巻上機２は、昇降路１の上部に設けられる。綱車３は、巻上機２の回転軸に取り付けられる。主ロープ４は、綱車３に巻き掛けられる。
【００１３】
かご５は、昇降路１の内部に設けられる。かご５は、図示されない一対のかご５側ガイドレールに案内される。かご５は、主ロープ４の一側に支持される。釣合オモリ６は、昇降路１の内部に設けられる。釣合オモリ６は、図示されない一対のオモリ側ガイドレールに案内される。釣合オモリ６は、主ロープ４の他側に支持される。
【００１４】
かご操作盤７は、かご５の内部に設けられる。かご操作盤７は、戸開ボタン７ａと戸閉ボタン７ｂと複数の階床ボタン７ｃと音声出力装置７ｄと表示装置７ｅとを備える。
【００１５】
戸開ボタン７ａは、押された際にかご５の戸開を要求する信号を送信し得るように設けられる。戸閉ボタン７ｂは、押された際にかご５の戸閉を要求する信号を送信し得るように設けられる。複数の階床ボタン７ｃの各々は、押された際に当該階床に対応したかご呼びを要求する信号を送信し得るように設けられる。
【００１６】
音声出力装置７ｄは、報知装置の１つとして、情報を音声により報知し得るように設けられる。表示装置７ｅは、報知装置の１つとして、情報を表示により報知し得るように設けられる。
【００１７】
制御装置８は、昇降路１の上部に設けられる。制御装置８は、エレベーターを全体的に制御し得るように設けられる。
【００１８】
監視装置９は、昇降路１の上部に設けられる。監視装置９は、制御装置８に接続される。監視装置９は、エレベーターの状態を監視し得るように設けられる。監視装置９は、制御装置８からエレベーターの異常を検出した際に当該異常を示す情報を送信し得るように設けられる。
【００１９】
監視装置９は、直話代替機能を備える。具体的には、監視装置９は、記憶部９ａと制御部９ｂとを備える。
【００２０】
記憶部９ａは、複数のコード情報の各々と複数のメッセージ情報の各々とを対応付けて記憶し得るように設けられる。制御部９ｂは、１組のコード情報を受信した際に、記憶部９ａから当該１組のコード情報の各々に対応した１組のメッセージ情報の各々を抽出し得るように設けられる。制御部９ｂは、当該１組のメッセージ情報をまとめて音声出力装置７ｄおよび表示装置７ｅの少なくとも一方に報知させ得るように設けられる。
【００２１】
情報センター装置１０は、エレベーターが設けられた建築物から離れた位置に設けられる。例えば、情報センター装置１０は、エレベーターの保守会社に設けられる。情報センター装置１０は、監視装置９との間で情報を送受信し得るように設けられる。
【００２２】
例えば、利用者がかご５に閉じ込められた場合、監視装置９は、利用者がかご５に閉じ込められたことを示す情報を情報センター装置１０に送信する。この際、監視装置９は、エレベーターの状態を示す情報も情報センター装置１０に送信する。
【００２３】
エレベーターの保守会社において、担当者は、当該異常が発生したエレベーターの状態に基づいて音声出力装置７ｄおよび表示装置７ｅの少なくとも一方に報知させる情報を決定する。担当者は、情報センター装置１０を用いて音声出力装置７ｄおよび表示装置７ｅの少なくとも一方に報知させる情報に対応した１組のコード情報を監視装置９に送信する。
【００２４】
監視装置９は、当該１組のコード情報の各々に対応した１組のメッセージ情報の各々を抽出する。監視装置９は、当該１組のメッセージ情報をまとめて音声出力装置７ｄおよび表示装置７ｅの少なくとも一方に報知させる。
【００２５】
次に、図２を用いて、複数のコード情報と複数のメッセージ情報とを説明する。
図２は実施の形態１におけるエレベーターの監視装置に記憶された複数のコード情報と複数のメッセージ情報とを示す図である。
【００２６】
図２に示されるように、監視装置９は、複数のコード情報の各々と複数のメッセージ情報の各々とを対応付けて記憶する。
【００２７】
例えば、監視装置９は、コード情報「０１」とメッセージ情報「戸開ボタン」とを対応付けて記憶する。例えば、監視装置９は、コード情報「０２」とメッセージ情報「１階のボタン」とを対応付けて記憶する。例えば、監視装置９は、コード情報「０３」とメッセージ情報「２階のボタン」とを対応付けて記憶する。例えば、監視装置９は、コード情報「０４」とメッセージ情報「３階のボタン」とを対応付けて記憶する。例えば、監視装置９は、コード情報「０５」とメッセージ情報「を押してください」とを対応付けて記憶する。
【００２８】
例えば、監視装置９は、コード情報「１１」とメッセージ情報「１５分」とを対応付けて記憶する。例えば、監視装置９は、コード情報「１２」とメッセージ情報「３０分」とを対応付けて記憶する。例えば、監視装置９は、コード情報「１３」とメッセージ情報「４５分」とを対応付けて記憶する。例えば、監視装置９は、コード情報「１４」とメッセージ情報「６０分」とを対応付けて記憶する。例えば、監視装置９は、コード情報「１５」とメッセージ情報「後に保守員が到着します」とを対応付けて記憶する。
【００２９】
例えば、監視装置９は、コード情報「０１」とコード情報「０５」とを受信した際に、「戸開ボタン」と「を押してください」とをまとめた「戸開ボタンを押してください」との情報を音声出力装置７ｄおよび表示装置７ｅの少なくとも一方に報知させる。
【００３０】
例えば、監視装置９は、コード情報「０２」とコード情報「０５」とを受信した際に、「１階のボタン」と「を押してください」とをまとめた「１階のボタンを押してください」との情報を音声出力装置７ｄおよび表示装置７ｅの少なくとも一方に報知させる。
【００３１】
例えば、監視装置９は、コード情報「１１」とコード情報「１５」とを受信した際に、「１５分」と「後に保守員が到着します」とをまとめた「１５分後に保守員が到着します」との情報を音声出力装置７ｄおよび表示装置７ｅの少なくとも一方に報知させる。
【００３２】
例えば、監視装置９は、コード情報「１２」とコード情報「１５」とを受信した際に、「３０分」と「後に保守員が到着します」とをまとめた「３０分後に保守員が到着します」との情報を音声出力装置７ｄおよび表示装置７ｅの少なくとも一方に報知させる。
【００３３】
例えば、監視装置９は、コード情報「２１」とコード情報「２２」とを受信した際に、「情報センター」と「にて閉じ込め故障を受信しました」とをまとめた「情報センターにて閉じ込め故障を受信しました」との情報を音声出力装置７ｄおよび表示装置７ｅの少なくとも一方に報知させる。
【００３４】
例えば、監視装置９は、コード情報「２１」とコード情報「２３」とを受信した際に、「情報センター」と「から閉じ込め復旧方法を指示します」とをまとめた「情報センターから閉じ込め復旧方法を指示します」との情報を音声出力装置７ｄおよび表示装置７ｅの少なくとも一方に報知させる。
【００３５】
例えば、監視装置９は、コード情報「２１」とコード情報「２４」とを受信した際に、「情報センター」と「にて保守員を手配しています」とをまとめた「情報センターにて保守員を手配しています」との情報を音声出力装置７ｄおよび表示装置７ｅの少なくとも一方に報知させる。
【００３６】
例えば、監視装置９は、コード情報「２１」とコード情報「２５」とを受信した際に、「情報センター」と「です  保守員が救出に向かいました」とをまとめた「情報センターです  保守員が救出に向かいました」との情報を音声出力装置７ｄおよび表示装置７ｅの少なくとも一方に報知させる。
【００３７】
例えば、監視装置９は、利用者がかご５に閉じ込められたことを示す情報を情報センター装置１０に送信する際に、コード情報「２１」のメッセージ情報「情報センター」とコード情報「３０」のメッセージ情報「に通報しています」とをまとめた「情報センターに通報しています」との情報を音声出力装置７ｄおよび表示装置７ｅの少なくとも一方に報知させる。
【００３８】
次に、図３と図４とを用いて、エレベーターシステムの動作の概要を説明する。
図３と図４とは実施の形態１におけるエレベーターの監視装置が適用されるエレベーターシステムの動作の概要を説明するためのフローチャートである。
【００３９】
ステップＳ１では、監視装置９は、利用者の閉じ込めが発生しているか否かを判定する。ステップＳ１で利用者の閉じ込めが発生していない場合、監視装置９は、ステップＳ１の動作を繰り返す。ステップＳ１で利用者の閉じ込めが発生している場合、監視装置９は、ステップＳ２の動作を行う。ステップＳ２では、監視装置９は、利用者がかご５に閉じ込められたことを示す情報を情報センター装置１０に送信する。監視装置９は、情報センター装置１０に送信する際にコード情報「２１」とコード情報「３０」に対応するメッセージ情報をまとめた「情報センターに通報しています」との情報を音声出力装置７ｄおよび表示装置７ｅの少なくとも一方に報知させる。その後、監視装置９は、ステップＳ３の動作を行う。ステップＳ３では、監視装置９は、直話代替機能が存在するか否かを判定する。
【００４０】
ステップＳ３で直話代替機能が存在しない場合、監視装置９は、ステップＳ４の動作を行う。ステップＳ４では、監視装置９は、かご５に閉じ込められた利用者との音声通話を要求する情報を情報センター装置１０に送信する。その後、監視装置９は、ステップＳ５の動作を行う。ステップＳ５では、監視装置９は、かご５に閉じ込められた利用者と情報センター装置１０の操作者との通話の情報を中継する。
【００４１】
ステップＳ３で直話代替機能が存在する場合、監視装置９は、ステップＳ６の動作を行う。ステップＳ６では、監視装置９は、１組のコード情報を要求する情報を情報センター装置１０に送信する。その後、情報センター装置１０は、ステップＳ７の動作を行う。ステップＳ７では、情報センター装置１０は、複数のコード情報の中から１組のコード情報を選択し、当該１組のコード情報を監視装置９に送信する。その後、監視装置９は、ステップＳ８の動作を行う。ステップＳ８では、監視装置９は、情報センター装置１０からの１組のコード情報の各々に対応付いた１組のメッセージ情報をまとめて音声出力装置７ｄおよび表示装置７ｅの少なくとも一方に報知させる。監視装置９と情報センター装置１０とは、状況に応じてステップＳ７とステップＳ８との動作を繰り返す。
【００４２】
以上で説明した実施の形態１によれば、監視装置９は、１組のコード情報の各々に対応付いた１組のメッセージ情報をまとめて音声出力装置７ｄおよび表示装置７ｅの少なくとも一方に報知させる。このため、少ない記憶容量でも状況に応じた適切な情報を利用者に報知することができる。
【００４３】
この際、監視装置９において、音声通話を中継する機能がなくてもよい。このため、高価なデジタルシグナルプロセッサを用いることなく、状況に応じた適切な情報を利用者に報知することができる。
【００４４】
例えば、監視装置９は、戸開ボタン７ａを示す情報に対応したコード情報と押すことを示す情報に対応したコード情報とを受信した際に、戸開ボタン７ａを押すことを促す情報を音声出力装置７ｄおよび表示装置７ｅの少なくとも一方に報知させる。このため、かご５に閉じ込められた利用者に対し、避難する方法を提示することができる。
【００４５】
例えば、監視装置９は、複数の階床のボタンの各々を示す情報に対応したコード情報と押すことを示す情報に対応したコード情報とを受信した際に、当該階床のボタンを押すことを促す情報を音声出力装置７ｄおよび表示装置７ｅの少なくとも一方に報知させる。このため、かご５に閉じ込められた利用者に対し、かご５が到着し得る階床において避難する方法を提示することができる。
【００４６】
例えば、監視装置９は、複数の時間の各々を示す情報に対応したコード情報と保守員が到着することを示す情報に対応したコード情報とを受信した際に、当該時間の経過後に保守員が到着することを示す情報を音声出力装置７ｄおよび表示装置７ｅの少なくとも一方に報知させる。このため、かご５に閉じ込められた利用者を安心させることができる。
【００４７】
例えば、監視装置９は、情報センターに対応したコード情報と情報センターからの連絡内容を示す情報に対応したコード情報とを受信した際に、情報センターからの連絡内容を示す情報を音声出力装置７ｄおよび表示装置７ｅの少なくとも一方に報知させる。このため、かご５に閉じ込められた利用者を安心させることができる。
【００４８】
なお、本実施の形態において、１組のコード情報の組み合せについて２つのコード情報を組み合せることで説明したが、これに限定するものではなく、３つ以上のコード情報を組み合わせて１組のコード情報としてもよい。
【００４９】
なお、エレベーターの保守会社の電話番号をかご５の内部に掲示してもよい。この場合、利用者は、かご５に閉じ込められた際に携帯電話、スマートフォン等を用いてエレベーターの保守会社に電話して、より細かい状況を担当者に伝えてもよい。
【００５０】
次に、図５を用いて、監視装置９の例を説明する。
図５は実施の形態１におけるエレベーターの監視装置のハードウェア構成図である。
【００５１】
監視装置９の各機能は、処理回路により実現し得る。例えば、処理回路は、少なくとも１つのプロセッサ１１ａと少なくとも１つのメモリ１１ｂとを備える。例えば、処理回路は、少なくとも１つの専用のハードウェア１２を備える。
【００５２】
処理回路が少なくとも１つのプロセッサ１１ａと少なくとも１つのメモリ１１ｂとを備える場合、監視装置９の各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ１１ｂに格納される。少なくとも１つのプロセッサ１１ａは、少なくとも１つのメモリ１１ｂに記憶されたプログラムを読み出して実行することにより、監視装置９の各機能を実現する。少なくとも１つのプロセッサ１１ａは、中央処理装置、処理装置、演算装置、マイクロプロセッサ、マイクロコンピュータ、ＤＳＰともいう。例えば、少なくとも１つのメモリ１１ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【００５３】
処理回路が少なくとも１つの専用のハードウェア１２を備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。例えば、監視装置９の各機能は、それぞれ処理回路で実現される。例えば、監視装置９の各機能は、まとめて処理回路で実現される。
【００５４】
監視装置９の各機能について、一部を専用のハードウェア１２で実現し、他部をソフトウェアまたはファームウェアで実現してもよい。例えば、制御部９ｂの機能については専用のハードウェア１２としての処理回路で実現し、制御部９ｂの機能以外の機能については少なくとも１つのプロセッサ１１ａが少なくとも１つのメモリ１１ｂに格納されたプログラムを読み出して実行することにより実現してもよい。
【００５５】
このように、処理回路は、ハードウェア１２、ソフトウェア、ファームウェア、またはこれらの組み合わせで監視装置９の各機能を実現する。
【００５６】
図示されないが、制御装置８の各機能も、監視装置９の各機能を実現する処理回路と同等の処理回路で実現される。情報センター装置１０の各機能も、監視装置９の各機能を実現する処理回路と同等の処理回路で実現される。
【産業上の利用可能性】
【００５７】
以上のように、この発明に係るエレベーターの監視装置は、情報を利用者に報知するするシステムに利用できる。
【符号の説明】
【００５８】
１  昇降路、  ２  巻上機、  ３  綱車、  ４  主ロープ、  ５  かご、  ６  釣合オモリ、  ７  かご操作盤、  ７ａ  戸開ボタン、  ７ｂ  戸閉ボタン、  ７ｃ  階床ボタン、  ７ｄ  音声出力装置、  ７ｅ  表示装置、  ８  制御装置、  ９  監視装置、  ９ａ  記憶部、  ９ｂ  制御部、  １０  情報センター装置、  １１ａ  プロセッサ、  １１ｂ  メモリ、  １２  ハードウェア
【図１】
2019244236.tif 000003
【図２】
2019244236.tif 000004
【図３】
2019244236.tif 000005
【図４】
2019244236.tif 000006
【図５】
2019244236.tif 000007
【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
複数のコード情報の各々と複数のメッセージ情報の各々とを対応付けて記憶した記憶部と、
利用者がかごに閉じ込められたエレベーターの状態に基づいて情報センタ装置により送信された１組のコード情報の受信を繰り返した際に、前記記憶部から当該１組のコード情報の各々に対応した１組のメッセージ情報の各々の抽出を繰り返し、当該１組のメッセージ情報をまとめて音声および表示の少なくとも一方により報知装置に報知させる動作を繰り返す制御部と、
を備えたエレベーターの監視装置。
【請求項２】
前記記憶部は、前記複数のメッセージ情報として、戸開ボタンを示す情報と押すことを示す情報とを記憶し、
前記制御部は、前記戸開ボタンを示す情報に対応したコード情報と前記押すことを示す情報に対応したコード情報とを受信した際に、前記戸開ボタンを押すことを促す情報を前記報知装置に報知させる請求項１に記載のエレベーターの監視装置。
【請求項３】
前記記憶部は、前記複数のメッセージ情報として、複数の階床の各々のボタンを示す情報と押すことを示す情報とを記憶し、
前記制御部は、前記複数の階床のボタンの各々を示す情報に対応したコード情報と前記押すことを示す情報に対応したコード情報とを受信した際に、当該階床のボタンを押すことを促す情報を前記報知装置に報知させる請求項１に記載のエレベーターの監視装置。
【請求項４】
前記記憶部は、前記複数のメッセージ情報として、複数の時間の各々を示す情報と保守員が到着することを示す情報とを記憶し、
前記制御部は、前記複数の時間の各々を示す情報に対応したコード情報と前記保守員が到着することを示す情報に対応したコード情報とを受信した際に、当該時間の経過後に保守員が到着することを示す情報を前記報知装置に報知させる請求項１に記載のエレベーターの監視装置。
【手続補正２】
【補正対象書類名】明細書
【補正対象項目名】０００６
【補正方法】変更
【補正の内容】
【０００６】
この発明に係るエレベーターの監視装置は、複数のコード情報の各々と複数のメッセージ情報の各々とを対応付けて記憶した記憶部と、利用者がかごに閉じ込められたエレベーターの状態に基づいて情報センタ装置により送信された１組のコード情報の受信を繰り返した際に、前記記憶部から当該１組のコード情報の各々に対応した１組のメッセージ情報の各々の抽出を繰り返し、当該１組のメッセージ情報をまとめて音声および表示の少なくとも一方により報知装置に報知させる動作を繰り返す制御部と、を備えた。
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
複数のコード情報の各々と複数のメッセージ情報の各々とを対応付けて記憶した記憶部と、
利用者がかごに閉じ込められたエレベーターの状態に基づいて情報センタ装置により送信された１組のコード情報の受信を繰り返した際に、前記記憶部から当該１組のコード情報の各々に対応した１組のメッセージ情報の各々の抽出を繰り返し、当該１組のメッセージ情報をまとめて音声および表示の少なくとも一方により報知装置に報知させる動作を繰り返すときに、繰り返して受信した複数組のコード情報において、一部のコード情報が同じコード情報であり、前記一部のコード情報以外のコード情報が異なる場合は、前記一部のコード情報に対応したメッセージ情報は同じで前記一部のコード情報以外のコード情報に対応したメッセージ情報は異なる情報を連続して前記報知装置に報知させる制御部と、
を備えたエレベーターの監視装置。
【請求項２】
前記記憶部は、前記複数のメッセージ情報として、複数の階床の各々のボタンを示す情報と押すことを示す情報とを記憶し、
前記制御部は、前記複数の階床のボタンの各々を示す情報に対応したコード情報と前記押すことを示す情報に対応したコード情報とを受信した際に、当該階床のボタンを押すことを促す情報を前記報知装置に報知させる請求項１に記載のエレベーターの監視装置。
【請求項３】
前記記憶部は、前記複数のメッセージ情報として、複数の時間の各々を示す情報と保守員が到着することを示す情報とを記憶し、
前記制御部は、前記複数の時間の各々を示す情報に対応したコード情報と前記保守員が到着することを示す情報に対応したコード情報とを受信した際に、当該時間の経過後に保守員が到着することを示す情報を前記報知装置に報知させる請求項１に記載のエレベーターの監視装置。
【手続補正２】
【補正対象書類名】明細書
【補正対象項目名】０００６
【補正方法】変更
【補正の内容】
【０００６】
この発明に係るエレベーターの監視装置は、複数のコード情報の各々と複数のメッセージ情報の各々とを対応付けて記憶した記憶部と、利用者がかごに閉じ込められたエレベーターの状態に基づいて情報センタ装置により送信された１組のコード情報の受信を繰り返した際に、前記記憶部から当該１組のコード情報の各々に対応した１組のメッセージ情報の各々の抽出を繰り返し、当該１組のメッセージ情報をまとめて音声および表示の少なくとも一方により報知装置に報知させる動作を繰り返すときに、繰り返して受信した複数組のコード情報において、一部のコード情報が同じコード情報であり、前記一部のコード情報以外のコード情報が異なる場合は、前記一部のコード情報に対応したメッセージ情報は同じで前記一部のコード情報以外のコード情報に対応したメッセージ情報は異なる情報を連続して前記報知装置に報知させる制御部と、を備えた。
【国際調査報告】
2019244236.tif 000008
2019244236.tif 000009
2019244236.tif 000010
2019244236.tif 000011